(57)【要約】      （修正有）【課題】測定または処理の対象となる目標点を示すために、その目標点を含む対象領域に貼り付けられ、目標点上に測定／処理部材を配置して測定または処理を行う用途に適した位置決めシートを提供する。【解決手段】離型シート１０上に配置され、離型シート側の面に粘着材層を有するプラスチックシート２０，３０を備える。プラスチックシート２０，３０は、透明な基材に目標点上に合わせられるべきマーク２３を有する目標点表示部分２１と、この目標点表示部分の周りの辺２２Ａ，２２Ｃにマーク２３に対応する第１目盛２４，２５を有する目盛表示部分２２とを含む。目標点表示部分２１のマーク２３が目標点上に合うようにプラスチックシート２０，３０が対象領域に貼り付けられた後、測定または処理の開始前に目標点表示部分２１が対象領域から剥がされる一方、目盛表示部分２２が対象領域に残される。【選択図】図１
0003187714.tif 000002
【実用新案登録請求の範囲】
【請求項１】
測定または処理の対象となる目標点を示すために、その目標点を含む対象領域に貼り付けられる位置決めシートであって、
離型シート上に配置され、上記離型シート側の面に粘着材層を有するプラスチックシートを備え、
上記プラスチックシートは、透明な基材に上記目標点上に合わせられるべきマークを有する目標点表示部分と、この目標点表示部分の周りに配置され、少なくとも一方向に関して上記マークの両側に相当する辺に上記マークに対応する第１目盛を有する目盛表示部分とを含み、
上記目標点表示部分の上記マークが上記目標点上に合うように上記プラスチックシートが上記対象領域に貼り付けられた後、上記測定または処理の開始前に上記目標点表示部分が上記対象領域から剥がされる一方、上記目盛表示部分が上記対象領域に残されるように構成されていることを特徴とする位置決めシート。
【請求項２】
請求項１に記載の位置決めシートにおいて、
上記プラスチックシートは、このプラスチックシートをなす１枚の基本シート内の互いに異なる領域に上記目標点表示部分と上記目盛表示部分とを含み、
上記目標点表示部分は、上記粘着材層が省略され、かつ上記目盛表示部分に対して破断可能に連結されていることを特徴とする位置決めシート。
【請求項３】
請求項２に記載の位置決めシートにおいて、
上記目盛表示部分の形状は、上記目標点表示部分の全周を取り囲む実質的に矩形の枠であることを特徴とする位置決めシート。
【請求項４】
請求項３に記載の位置決めシートにおいて、
上記目盛表示部分が内側に画定する実質的に矩形の領域の平面寸法は、上記測定または処理のために上記目標点上に配置される部材の接触面の平面寸法以上に設定されていることを特徴とする位置決めシート。
【請求項５】
請求項３または４に記載の位置決めシートにおいて、
上記目盛表示部分の上記一方向に対して垂直な方向に関して上記マークの両側に相当する辺に、上記マークに対応する第２目盛を有することを特徴とする位置決めシート。
【請求項６】
請求項２に記載の位置決めシートにおいて、
上記目盛表示部分は、上記目標点表示部分を取り囲むように、上記一方向に関して上記マークの両側に対称に配置された第１のコの字状部分と第２のコの字状部分とを備え、上記第１のコの字状部分の中央の辺と上記第２のコの字状部分の中央の辺にそれぞれ上記第１目盛が設けられ、
上記第１のコの字状部分の先端と上記第２のコの字状部分との先端との間に、上記一方向に関して予め定められた寸法の隙間が設けられ、
上記隙間に上記目標点表示部分が延在していることを特徴とする位置決めシート。
【請求項７】
請求項６に記載の位置決めシートにおいて、
上記第１のコの字状部分と上記第２のコの字状部分とが内側に画定する実質的に矩形の領域の平面寸法は、上記測定または処理のために上記目標点上に配置される部材の接触面の平面寸法以上に設定されていることを特徴とする位置決めシート。
【請求項８】
請求項６または７に記載の位置決めシートにおいて、
上記第１のコの字状部分の両端の辺と上記第２のコの字状部分の両端の辺に、それぞれ第２目盛が設けられていることを特徴とする位置決めシート。
【請求項９】
請求項２から８までのいずれか一つに記載の位置決めシートにおいて、
上記プラスチックシートは、上記離型シート上で上記基本シートを覆う透明なカバーシートを含み、
上記カバーシートが上記離型シート側の面に有する粘着材層の粘着力は上記基本シートが上記離型シート側の面に有する粘着材層の粘着力よりも小さいことを特徴とする位置決めシート。
【請求項１０】
請求項９に記載の位置決めシートにおいて、
上記カバーシートの平面寸法は上記基本シートの平面寸法よりも大きいことを特徴とする位置決めシート。
【請求項１１】
請求項１に記載の位置決めシートにおいて、
上記プラスチックシートは、上記離型シート側の面に粘着材層を有する目盛シートと、この目盛シート上に重ねられ、上記離型シート側の面に粘着材層を有するマークシートとの２シートを含み、
上記目盛シートは、上記目標点を取り囲むべき切り欠きを有し、この切り欠きの縁がなす上記マークの両側に相当する辺が上記目盛表示部分を構成し、
上記マークシートのうち上記目盛シートの上記切り欠きに対応する部分が、上記マークを有する上記目標点表示部分を構成することを特徴とする位置決めシート。
【請求項１２】
請求項１１に記載の位置決めシートにおいて、
上記目盛シートの上記切り欠きが画定する領域の平面寸法は、上記測定または処理のために上記目標点上に配置される部材の接触面の平面寸法以上に設定されていることを特徴とする位置決めシート。
【請求項１３】
請求項１１または１２に記載の位置決めシートにおいて、
上記目盛シートの形状は、上記目標点を取り囲むべき実質的に矩形の枠であることを特徴とする位置決めシート。
【請求項１４】
請求項１３に記載の位置決めシートにおいて、
上記目盛シートの上記一方向に対して垂直な方向に関して上記マークの両側に相当する辺に、上記マークに対応する第２目盛を有することを特徴とする位置決めシート。
【請求項１５】
請求項１１から１４までのいずれか一つに記載の位置決めシートにおいて、
上記マークシートの粘着材層の粘着力は上記目盛シートの粘着材層の粘着力よりも小さいことを特徴とする位置決めシート。
【請求項１６】
請求項１１から１５までのいずれか一つに記載の位置決めシートにおいて、
上記マークシートの平面寸法は上記目盛シートの平面寸法よりも大きいことを特徴とする位置決めシート。
【考案の詳細な説明】
【技術分野】
【０００１】
この考案は位置決めシートに関し、より詳しくは、測定または処理の対象となる目標点を示すために、その目標点を含む領域に貼り付けられる位置決めシートに関する。
【背景技術】
【０００２】
従来、この種の位置決めシートとしては、例えば特許文献１（特開平１０−２９０７９７号公報）に記載されているような医療用粘着テープ（またはシート）が知られている。同文献に開示されたものは、Ｘ線透過性のシートの一方の面に粘着材層を設け、更に、そのシートにＸ線不透過性の目盛を印刷して構成されている。その粘着テープは、Ｘ線写真により人体内部の状態を観察する際に、擦刺部や術部の位置を正確に確認するために、人体に貼り付けられる。
【先行技術文献】
【特許文献】
【０００３】
【特許文献１】特開平１０−２９０７９７号公報
【考案の概要】
【考案が解決しようとする課題】
【０００４】
しかしながら、そのように単に目盛が印刷された形式の粘着テープでは、測定または処理の対象となる目標点上に、例えば測定装置または処理装置の本体や大型のプローブなどの部材（以下、適宜「測定／処理部材」という。）を配置して測定または処理を行う用途には、適さないという問題がある。
【０００５】
例えば、一体型血圧計（血圧計本体とカフとが一体に構成されたもの）の血圧計本体を、腕、手首または足などの動脈の目標点上に装着して測定を行う場合、そのような血圧計本体を装着する際に、シートに印刷された目盛が血圧計本体によって覆われて隠れてしまい、ユーザ（医療従事者や被測定者を含む。）は目標点上に血圧計本体が正しく合っているか否かを認識できない。このため、目標点に対する血圧計本体の位置ばらつきが生じる可能性がある。また、測定中に目標点に対する血圧計本体の位置がずれたとしても、ユーザが位置ずれを容易には認識できない。このため、不正確な測定が行われる可能性がある。
【０００６】
そこで、この考案の課題は、測定または処理の対象となる目標点を示すために、その目標点を含む対象領域に貼り付けられる位置決めシートであって、上記目標点上に測定／処理部材を配置して測定または処理を行う用途に適したものを提供することにある。
【課題を解決するための手段】
【０００７】
上記課題を解決するため、この考案の位置決めシートは、
測定または処理の対象となる目標点を示すために、その目標点を含む対象領域に貼り付けられる位置決めシートであって、
離型シート上に配置され、上記離型シート側の面に粘着材層を有するプラスチックシートを備え、
上記プラスチックシートは、透明な基材に上記目標点上に合わせられるべきマークを有する目標点表示部分と、この目標点表示部分の周りに配置され、少なくとも一方向に関して上記マークの両側に相当する辺に上記マークに対応する第１目盛を有する目盛表示部分とを含み、
上記目標点表示部分の上記マークが上記目標点上に合うように上記プラスチックシートが上記対象領域に貼り付けられた後、上記測定または処理の開始前に上記目標点表示部分が上記対象領域から剥がされる一方、上記目盛表示部分が上記対象領域に残されるように構成されていることを特徴とする。
【０００８】
本明細書で、「目標点」とは、厳密な意味での点（面積を持たない）でなくても良く、或る程度の面積を有していてもよい（例えば直径１ｍｍ〜５ｍｍ程度の円形領域など）。
【０００９】
この考案の位置決めシートが使用される場合、まず、ユーザは、上記プラスチックシートを上記離型シートから剥がす。続いて、ユーザは、上記目標点表示部分の上記マークが上記目標点上に合うように、上記プラスチックシートを上記対象領域に貼り付ける。このとき、上記目標点表示部分は透明な基材にマークを有するものであるから、ユーザは、透明な基材を通して上記目標点を見ながら、上記マークを上記目標点上に容易に合わせることができる。また、上記プラスチックシートは、上記粘着材層の粘着力によって、上記対象領域に容易に貼り付けられる。これにより、上記マークに対応する上記目盛表示部分の第１目盛は、上記目標点に対応した状態になる。続いて、ユーザは、上記測定または処理の開始前に上記目標点表示部分を上記対象領域から剥がす一方、上記目盛表示部分を上記対象領域に残す。このとき、上記目盛表示部分の第１目盛は、上記目標点に対応した状態を維持する。この後、ユーザは、上記目盛表示部分の第１目盛を基準として、上記目標点上に測定／処理部材を配置して測定または処理を行う。
【００１０】
このようにして測定または処理を行う場合、上記目盛表示部分の第１目盛は上記目標点に対応した状態を維持しているので、ユーザは、上記目盛表示部分の第１目盛を基準とすることによって、上記目標点上に上記測定／処理部材が正しく合っているか否かを明確に認識できる。したがって、上記目標点に対する上記測定／処理部材の位置ばらつきを防止できる。また、測定または処理中に上記目標点に対する上記測定／処理部材の位置がずれたとしても、ユーザが位置ずれを容易に認識して修正できる。したがって、正確な測定または処理を行うことができる。このように、この位置決めシートは、上記目標点上に測定／処理部材を配置して測定または処理を行う用途に適する。
【００１１】
なお、測定または処理の後、ユーザによって、上記測定／処理部材が上記対象領域から取り外すとともに、上記目盛表示部分が上記対象領域から剥がされる。
【００１２】
本明細書で測定／処理部材を目標点上に「配置」するとは、少なくとも一時的に測定／処理部材を目標点上に接触した状態に維持することを意味し、ベルトなどを用いて装着することを含む。
【００１３】
また、目標点の「上に」とは、測定／処理部材を配置することを表すための便宜上の表現にすぎず、配置する向きを限定する意味ではない。例えば、目標点を含む対象領域が下方へ向いている場合、測定／処理部材を目標点に対して下から接触させて配置することを含む。
【００１４】
一実施形態の位置決めシートでは、
上記プラスチックシートは、このプラスチックシートをなす１枚の基本シート内の互いに異なる領域に上記目標点表示部分と上記目盛表示部分とを含み、
上記目標点表示部分は、上記粘着材層が省略され、かつ上記目盛表示部分に対して破断可能に連結されていることを特徴とする。
【００１５】
本明細書で「互いに異なる領域」とは、基本シートが延在する面内での互いに異なる領域を指す。
【００１６】
この一実施形態の位置決めシートが使用される場合、まず、ユーザは、上記プラスチックシート（上記基本シートを含む。）を上記離型シートから剥がす。続いて、ユーザは、上記目標点表示部分の上記マークが上記目標点上に合うように、上記プラスチックシートを上記対象領域に貼り付ける。このとき、上記目標点表示部分は透明な基材にマークを有するものであるから、ユーザは、透明な基材を通して上記目標点を見ながら、上記マークを上記目標点上に容易に合わせることができる。また、上記プラスチックシートは、上記粘着材層の粘着力によって、上記対象領域に容易に貼り付けられる。これにより、上記マークに対応する上記目盛表示部分の第１目盛は、上記目標点に対応した状態になる。続いて、ユーザは、上記測定または処理の開始前に上記目標点表示部分を上記目盛表示部分に対して破断しながら、上記目標点表示部分を上記対象領域から剥がす一方、上記目盛表示部分を上記対象領域に残す。このとき、上記目標点表示部分では上記粘着材層が省略されているので、ユーザは、上記目標点表示部分を容易に剥がすことができる。また、上記目盛表示部分は上記対象領域に残されるので、上記目盛表示部分の第１目盛は、上記目標点に対応した状態を維持する。この後、ユーザは、上記目盛表示部分の第１目盛を基準として、上記目標点上に測定／処理部材を配置して測定または処理を行う。
【００１７】
このようにして測定または処理を行う場合、既述のように、上記目盛表示部分の第１目盛は上記目標点に対応した状態を維持しているので、ユーザは、上記目盛表示部分の第１目盛を基準とすることによって、上記目標点上に上記測定／処理部材が正しく合っているか否かを明確に認識できる。したがって、上記目標点に対する上記測定／処理部材の位置ばらつきを防止できる。また、測定または処理中に上記目標点に対する上記測定／処理部材の位置がずれたとしても、ユーザが位置ずれを容易に認識して修正できる。したがって、正確な測定または処理を行うことができる。このように、この位置決めシートは、上記目標点上に測定／処理部材を配置して測定または処理を行う用途に適する。
【００１８】
また、上記プラスチックシートをなす１枚の基本シート内の互いに異なる領域に上記目標点表示部分と上記目盛表示部分とが設けられているので、上記マークと上記第１目盛とを同時に印刷して形成することができる。したがって、上記プラスチックシートを全体として容易に製造することができる。
【００１９】
一実施形態の位置決めシートでは、上記目盛表示部分の形状は、上記目標点表示部分の全周を取り囲む実質的に矩形の枠であることを特徴とする。
【００２０】
この一実施形態の位置決めシートでは、上記目盛表示部分の形状は、上記目標点表示部分の全周を取り囲む実質的に矩形の枠である。この矩形の枠をなす形状は一体になっているので、測定または処理の終了後に、上記目標点上から上記測定／処理部材を取り外した後、上記目盛表示部分を上記対象領域から一動作で剥がすことができる。
【００２１】
一実施形態の位置決めシートでは、上記目盛表示部分が内側に画定する実質的に矩形の領域の平面寸法は、上記測定または処理のために上記目標点上に配置される部材の接触面の平面寸法以上に設定されていることを特徴とする。
【００２２】
この一実施形態の位置決めシートでは、上記目盛表示部分が内側に画定する実質的に矩形の領域の平面寸法は、上記測定または処理のために上記目標点上に配置される部材（測定／処理部材）の接触面の平面寸法以上に設定されている。したがって、上記目標点上に上記測定／処理部材が配置されたとき、上記第１目盛が上記測定／処理部材によって覆われて隠れてしまうのを防止できる。
【００２３】
一実施形態の位置決めシートでは、上記目盛表示部分の上記一方向に対して垂直な方向に関して上記マークの両側に相当する辺に、上記マークに対応する第２目盛を有することを特徴とする。
【００２４】
この一実施形態の位置決めシートでは、ユーザが上記目標点表示部分を上記対象領域から剥がす一方、上記目盛表示部分を上記対象領域に残したとき、上記目盛表示部分の第１目盛とともに第２目盛が、上記目標点に対応した状態を維持する。この後、ユーザは、上記目盛表示部分の第１目盛とともに第２目盛を基準として、上記目標点上に測定／処理部材を配置して測定または処理を行う。このようにした場合、上記一方向とそれに垂直な方向との２方向に関して、上記目標点上に上記測定／処理部材が正しく合っているか否かを明確に示すことができる。したがって、上記２方向に関して、上記目標点に対する上記測定／処理部材の位置ばらつきを防止したり、ユーザによる位置ずれ修正を容易にすることが可能になる。
【００２５】
一実施形態の位置決めシートでは、
上記目盛表示部分は、上記目標点表示部分を取り囲むように、上記一方向に関して上記マークの両側に対称に配置された第１のコの字状部分と第２のコの字状部分とを備え、上記第１のコの字状部分の中央の辺と上記第２のコの字状部分の中央の辺にそれぞれ上記第１目盛が設けられ、
上記第１のコの字状部分の先端と上記第２のコの字状部分との先端との間に、上記一方向に関して予め定められた寸法の隙間が設けられ、
上記隙間に上記目標点表示部分が延在していることを特徴とする。
【００２６】
この一実施形態の位置決めシートでは、上記測定または処理の開始前に上記目標点表示部分を上記対象領域から剥がす一方、上記目盛表示部分を上記対象領域に残すとき、ユーザは、上記目標点表示部分のうち上記隙間に延在している部分を指で摘まんで、上記一方向に対して垂直な方向に引っ張ることによって、上記目標点表示部分を上記目盛表示部分に対して破断しながら容易に剥がすことができる。
【００２７】
また、例えば上記対象領域が実質的に棒状（被測定者の腕や脚など）である場合において、上記第１のコの字状部分と上記第２のコの字状部分とを上記棒の長手方向に配して貼り付けておき、上記測定／処理部材を上記棒の周囲にベルトで締め付けて装着するものとする。このとき、この位置決めシートでは、上記目盛表示部分をなす上記第１のコの字状部分と上記第２のコの字状部分とが上記隙間の分だけ分離された状態にある。ここで、予め、上記一方向に関して上記隙間の寸法を、上記ベルトの幅程度に設定しておくものとする。このようにした場合、上記対象領域に上記測定／処理部材が装着された状態であっても、ユーザは、上記ベルトに邪魔されずに、上記第１のコの字状部分と上記第２のコの字状部分とを上記対象領域から剥がして取り去ることができる。この点は、上記対象領域に上記目盛表示部分が長時間貼り付けられたままになっているのを被測定者が嫌うときに、有益である。
【００２８】
一実施形態の位置決めシートでは、上記第１のコの字状部分と上記第２のコの字状部分とが内側に画定する実質的に矩形の領域の平面寸法は、上記測定または処理のために上記目標点上に配置される部材の接触面の平面寸法以上に設定されていることを特徴とする。
【００２９】
この一実施形態の位置決めシートでは、上記第１のコの字状部分と上記第２のコの字状部分とが内側に画定する実質的に矩形の領域の平面寸法は、上記測定または処理のために上記目標点上に配置される部材（測定／処理部材）の接触面の平面寸法以上に設定されている。したがって、上記目標点上に上記測定／処理部材が配置されたとき、上記第１目盛が上記測定／処理部材によって覆われて隠れてしまうのを防止できる。
【００３０】
一実施形態の位置決めシートでは、上記第１のコの字状部分の両端の辺と上記第２のコの字状部分の両端の辺に、それぞれ第２目盛が設けられていることを特徴とする。
【００３１】
この一実施形態の位置決めシートでは、上記目標点上に測定／処理部材を配置するとき、ユーザは、上記目盛表示部分の第１目盛とともに第２目盛を基準として配置することができる。このようにした場合、上記一方向とそれに垂直な方向との２方向に関して、上記目標点上に上記測定／処理部材が正しく合っているか否かを明確に示すことができる。したがって、上記２方向に関して、上記目標点に対する上記測定／処理部材の位置ばらつきを防止したり、ユーザによる位置ずれ修正を容易にすることが可能になる。
【００３２】
一実施形態の位置決めシートでは、
上記プラスチックシートは、上記離型シート上で上記基本シートを覆う透明なカバーシートを含み、
上記カバーシートが上記離型シート側の面に有する粘着材層の粘着力は上記基本シートが上記離型シート側の面に有する粘着材層の粘着力よりも小さいことを特徴とする。
【００３３】
この一実施形態の位置決めシートが使用される場合、まず、ユーザは、上記カバーシートとともに上記基本シートを上記離型シートから剥がす。このとき、上記基本シートは上記カバーシートによって支持されているので、上記目標点表示部分が上記目盛表示部分に対して破断するのを防止できる。したがって、上記カバーシートとともに上記基本シートを支障なく剥がすことができる。続いて、ユーザは、上記基本シートの上記目標点表示部分の上記マークが上記目標点上に合うように、上記カバーシートとともに上記基本シートを上記対象領域に貼り付ける。このとき、上記カバーシートは透明で、かつ上記基本シートの上記目標点表示部分は透明な基材にマークを有するものであるから、ユーザは、透明なカバーシートと基本シートの透明な基材を通して上記目標点を見ながら、上記マークを上記目標点上に容易に合わせることができる。また、上記カバーシートと上記基本シートは、それぞれの粘着材層の粘着力によって、上記対象領域に容易に貼り付けられる。また、上記基本シートは上記カバーシートによって支持されているので、上記カバーシートによって支持されていない場合に比して、撓み難い。したがって、上記カバーシートや上記基本シートの粘着材層が設けられた面同士が互いにくっつくような事態を招くことなく、上記カバーシートとともに上記基本シートは、上記対象領域に首尾良く広がった状態で貼り付けられる。これにより、上記マークに対応する上記目盛表示部分の第１目盛は、上記目標点に対応した状態になる。続いて、ユーザは、上記測定または処理の開始前に上記カバーシートを上記対象領域から剥がす。このとき、上記基本シートの上記目標点表示部分では粘着材層が省略されているので、上記カバーシートの粘着材層の粘着力のせいで、上記基本シートの上記目標点表示部分は上記カバーシートに連れて剥がれようとする。一方、上記カバーシートの粘着材層の粘着力は上記基本シートの粘着材層の粘着力よりも小さいので、上記基本シートの上記目盛表示部分は、上記カバーシートに連れて剥がれるよりも、むしろ上記対象領域に残ろうとする。これらの傾向を利用しつつ、ユーザは、上記基本シートの上記目標点表示部分を上記目盛表示部分に対して破断しながら、上記カバーシートとともに上記基本シートの上記目標点表示部分を上記対象領域から剥がす一方、上記目盛表示部分を上記対象領域に残す。これにより、上記基本シートの上記目盛表示部分のみを上記対象領域に容易に残すことができる。この後、ユーザは、上記目標点上に測定／処理部材を配置して測定または処理を行う。
【００３４】
一実施形態の位置決めシートでは、上記カバーシートの平面寸法は上記基本シートの平面寸法よりも大きいことを特徴とする。
【００３５】
この一実施形態の位置決めシートでは、上記カバーシートの平面寸法は上記基本シートの平面寸法よりも大きい。したがって、上記カバーシートとともに上記基本シートを上記離型シートから剥がすとき、ユーザは、上記カバーシートの縁を指で摘まんで引っ張ることによって、上記カバーシートとともに上記基本シートを容易に剥がすことができる。また、上記カバーシートを上記対象領域から剥がすとき、ユーザは、上記カバーシートの縁を指で摘まんで引っ張ることによって、上記カバーシートとともに上記基本シートの上記目標点表示部分を上記対象領域から容易に剥がすことができる。
【００３６】
一実施形態の位置決めシートでは、
上記プラスチックシートは、上記離型シート側の面に粘着材層を有する目盛シートと、この目盛シート上に重ねられ、上記離型シート側の面に粘着材層を有するマークシートとの２シートを含み、
上記目盛シートは、上記目標点を取り囲むべき切り欠きを有し、この切り欠きの縁がなす上記マークの両側に相当する辺が上記目盛表示部分を構成し、
上記マークシートのうち上記目盛シートの上記切り欠きに対応する部分が、上記マークを有する上記目標点表示部分を構成することを特徴とする。
【００３７】
この一実施形態の位置決めシートが使用される場合、まず、ユーザは、上記マークシートとともに上記目盛シートを上記離型シートから剥がす。続いて、ユーザは、上記マークシートの上記目標点表示部分の上記マークが上記目標点上に合うように、上記マークシートとともに上記目盛シートを上記対象領域に貼り付ける。このとき、上記マークシートの上記目標点表示部分は透明な基材にマークを有するものであり、かつ上記目盛シートは上記目標点を取り囲むべき切り欠きを有するから、ユーザは、上記マークシートの透明な基材と上記目盛シートの切り欠きを通して上記目標点を見ながら、上記マークを上記目標点上に容易に合わせることができる。また、上記マークシートとともに上記目盛シートは、それぞれの粘着材層の粘着力によって、上記対象領域に容易に貼り付けられる。これにより、上記マークに対応する上記目盛表示部分の第１目盛は、上記目標点に対応した状態になる。続いて、ユーザは、上記測定または処理の開始前に上記マークシートを上記対象領域から剥がす一方、上記目盛シートを上記対象領域に残す。このとき、上記マークシートは上記目盛シートとは別のシートであるから、上記マークシートを上記目盛シートに対して破断する必要がない。したがって、ユーザは、上記マークシートのみを容易に剥がすことができる。また、上記目盛シートは上記対象領域に残されるので、上記目盛シートの上記目盛表示部分の第１目盛は、上記目標点に対応した状態を維持する。この後、ユーザは、上記目盛表示部分の第１目盛を基準として、上記目標点上に測定／処理部材を配置して測定または処理を行う。
【００３８】
このようにして測定または処理を行う場合、上記目盛シートの上記目盛表示部分の第１目盛は上記目標点に対応した状態を維持しているので、ユーザは、上記目盛表示部分の第１目盛を基準とすることによって、上記目標点上に上記測定／処理部材が正しく合っているか否かを明確に認識できる。したがって、上記目標点に対する上記測定／処理部材の位置ばらつきを防止できる。また、測定または処理中に上記目標点に対する上記測定／処理部材の位置がずれたとしても、そのことをユーザが容易に認識して位置ずれを修正できる。したがって、正確な測定または処理を行うことができる。このように、この位置決めシートは、上記目標点上に測定／処理部材を配置して測定または処理を行う用途に適する。
【００３９】
なお、測定または処理の後、ユーザは、上記測定／処理部材は上記対象領域から取り外すとともに、上記目盛シートを上記対象領域から剥がす。
【００４０】
一実施形態の位置決めシートでは、上記目盛シートの上記切り欠きが画定する領域の平面寸法は、上記測定または処理のために上記目標点上に配置される部材の接触面の平面寸法以上に設定されていることを特徴とする。
【００４１】
この一実施形態の位置決めシートでは、上記目盛シートの上記切り欠きが画定する領域の平面寸法は、上記測定または処理のために上記目標点上に配置される部材（測定／処理部材）の接触面の平面寸法以上に設定されている。したがって、上記目標点上に上記測定／処理部材が配置されたとき、上記第１目盛が上記測定／処理部材によって覆われて隠れてしまうのを防止できる。
【００４２】
一実施形態の位置決めシートでは、上記目盛シートの形状は、上記目標点を取り囲むべき実質的に矩形の枠であることを特徴とする。
【００４３】
この一実施形態の位置決めシートでは、上記目盛シートの形状は、上記目標点を取り囲むべき実質的に矩形の枠である。この矩形の枠をなす形状は一体になっているので、測定または処理の終了後に、上記目標点上から上記測定／処理部材を取り外した後、上記目盛シートを上記対象領域から一動作で剥がすことができる。
【００４４】
一実施形態の位置決めシートでは、上記目盛シートの上記一方向に対して垂直な方向に関して上記マークの両側に相当する辺に、上記マークに対応する第２目盛を有することを特徴とする。
【００４５】
この一実施形態の位置決めシートでは、ユーザが上記マークシートを上記対象領域から剥がす一方、上記目盛シートを上記対象領域に残したとき、上記目盛表示部分の第１目盛とともに第２目盛が、上記目標点に対応した状態を維持する。この後、ユーザは、上記目盛表示部分の第１目盛とともに第２目盛を基準として、上記目標点上に測定／処理部材を配置して測定または処理を行う。このようにした場合、上記一方向とそれに垂直な方向との２方向に関して、上記目標点上に上記測定／処理部材が正しく合っているか否かを明確に示すことができる。したがって、上記２方向に関して、上記目標点に対する上記測定／処理部材の位置ばらつきを防止したり、ユーザによる位置ずれ修正を容易にすることが可能になる。
【００４６】
一実施形態の位置決めシートでは、上記マークシートの粘着材層の粘着力は上記目盛シートの粘着材層の粘着力よりも小さいことを特徴とする。
【００４７】
この一実施形態の位置決めシートでは、上記マークシートの粘着材層の粘着力は上記目盛シートの粘着材層の粘着力よりも小さい。したがって、上記マークシートを上記対象領域から剥がすとき、上記目盛シートは、上記マークシートに連れて剥がれるよりも、むしろ上記対象領域に残ろうとする。この傾向を利用して、ユーザは、上記マークシートのみを容易に剥がすことができる。
【００４８】
一実施形態の位置決めシートでは、上記マークシートの平面寸法は上記目盛シートの平面寸法よりも大きいことを特徴とする。
【００４９】
この一実施形態の位置決めシートでは、上記マークシートの平面寸法は上記目盛シートの平面寸法よりも大きい。したがって、上記マークシートを上記目盛シートとともに上記離型シートから剥がすとき、ユーザは、上記マークシートの縁を指で摘まんで引っ張ることによって、上記マークシートを上記目盛シートとともに容易に剥がすことができる。また、上記マークシートを上記対象領域から剥がすとき、ユーザは、上記マークシートの縁を摘まんで引っ張ることによって、上記マークシートを容易に剥がすことができる。
【考案の効果】
【００５０】
以上より明らかなように、この考案の位置決めシートは、上記目標点上に測定／処理部材を配置して測定または処理を行う用途に適する。
【図面の簡単な説明】
【００５１】
【図１】図１（Ａ）は、ＸＹ平面に沿って置かれたこの考案の第１実施形態の位置決めシートの平面図である。図１（Ｂ）は、図１（Ａ）のものを−Ｙ方向から見たところを示す図である。図１（Ｃ）は、図１（Ａ）のものを＋Ｘ方向から見たところを示す図である。図１（Ｄ）は、図１（Ｃ）の一部を拡大して示す図である。
【図２】図２（Ａ），（Ｂ），（Ｃ）は、上記位置決めシートを使う手順を示す工程図である。
【図３】図３は、図１の位置決めシートを使う手順を示すフロー図である。
【図４】図４は、図１の位置決めシートに目盛を追加した変形例を、図１（Ａ）に対応して示す図である。
【図５】図５（Ａ），（Ｂ），（Ｃ），（Ｄ）は、図１の位置決めシートの基本シートの形状を変形した第２実施形態の位置決めシートを、図１（Ａ），（Ｂ），（Ｃ），（Ｄ）に対応して示す図である。
【図６】図６（Ａ），（Ｂ），（Ｃ），（Ｄ）は、この考案の第３実施形態の位置決めシートを、図１（Ａ），（Ｂ），（Ｃ），（Ｄ）に対応して示す図である。
【図７】図７は、図６の位置決めシートを使う手順を示すフロー図である。
【考案を実施するための形態】
【００５２】
以下、この考案の実施の形態を、図面を参照しながら詳細に説明する。
【００５３】
（第１実施形態）
図１（Ａ）は、この考案の第１実施形態の位置決めシート（全体を符号１で表す。）を、この位置決めシート１が置かれたＸＹ平面に対して垂直な方向から見たところを示している。図１（Ｂ）は図１（Ａ）のものを−Ｙ方向から見たところを示し、図１（Ｃ）は図１（Ａ）のものを＋Ｘ方向から見たところを示している。この位置決めシート１は、血圧測定の対象となる動脈の目標点９１を示すために、その目標点９１を含む対象領域９０に貼り付けられる用途に用いられる（図２（Ａ）参照）。
【００５４】
図１（Ｂ），（Ｃ）によって分かるように、この位置決めシート１は、離型シート１０上に配置されたプラスチックシートとしての１枚の基本シート２０および１枚のカバーシート３０を備えている。
【００５５】
離型シート１０は、その表面１０ａに離型剤の層（図示せず）を有する紙（またはプラスチック）のシートである。図１（Ａ）によって分かるように、離型シート１０は、矩形の形状を有している。離型シート１０の平面寸法は、この例では横（Ｘ方向）６０ｍｍ、縦（Ｙ方向）７７ｍｍに設定されている。
【００５６】
カバーシート３０は、一定の厚さ（例えば５０μｍ〜１５０μｍ）を有し、ＸＹ平面において離型シート１０の形状と全く同じ形状を有する透明なシートである。カバーシート３０の材質は、例えばポリウレタン、ポリオレフィン、ポリエチレン、ポリプロピレン、またはポリ塩化ビニルとされ得る。カバーシート３０は、図１（Ｄ）に示すように、離型シート１０側の面３０ｂの全域に粘着材層３０ｘを有している。このカバーシート３０は、基本シート２０を覆うように重なって配置されている。なお、図１（Ｂ），（Ｃ），（Ｄ）では、理解の容易のために、カバーシート３０の周縁が離型シート１０から離間しているように描かれているが、実際には離型シート１０の表面１０ａに接触している。
【００５７】
基本シート２０は、図１（Ａ）によって分かるように、離型シート１０の中央に相当する位置に配置され、四隅に円弧状のアール（ｒ）が施された略矩形の外形を有している。基本シート２０は、一定の厚さ（例えば５０μｍ〜１５０μｍ）の透明な基材を有し、その基材の材質は、例えばポリウレタン、ポリオレフィン、ポリエチレン、ポリプロピレン、またはポリ塩化ビニルとされ得る。基本シート２０の平面寸法は、この例では横（Ｘ方向）４５ｍｍ、縦（Ｙ方向）６２ｍｍに設定されている。つまり、基本シート２０の平面寸法よりもカバーシート３０の平面寸法が大きく設定されている。
【００５８】
この基本シート２０は、この基本シート２０内の互いに異なる領域に目標点表示部分２１と目盛表示部分２２とを有している。この例では、目標点表示部分２１は、実質的に矩形の形状を有し、横方向および縦方向に関してこの基本シート２０の中央に相当する領域を占めている。目盛表示部分２２は、目標点表示部分２１の全周を取り囲む実質的に矩形の枠の形状を有している。詳しくは、この目盛表示部分２２は、縦方向に関してマーク２３の両側に相当する辺２２Ａ，２２Ｃと、横方向に関してマーク２３の両側に相当する辺２２Ｂ，２２Ｄとを有している。
【００５９】
目標点表示部分２１は、上述の透明な基材に目標点９１（図２（Ａ）参照）上に合わせられるべきマーク２３を設けて形成されている。図１（Ａ）の例では、マーク２３は、この基本シート２０の中央を通る横線２３Ｘと縦線２３Ｙとからなる十字の形状を有している。
【００６０】
目盛表示部分２２は、この例では、縦方向に関してマーク２３の両側に相当する辺２２Ａ，２２Ｃに、それぞれマーク２３に対応する第１目盛２４，２５を有している。詳しくは、横方向に関して辺２２Ａ，２２Ｃの中央に配置された目盛２４が、マーク２３の縦線２３Ｙの端部に対応している。辺２２Ａ，２２Ｃにおいて、横方向に関して目盛２４の両側に、それぞれ３つの目盛２５が一定のピッチｃ（この例ではｃ＝５ｍｍ）で配置されている。
【００６１】
また、目盛表示部分２２は、この目盛表示部分２２が内側に画定する実質的に矩形の領域（この例では、縦方向寸法ｂ＝３３．２ｍｍ、横方向寸法ａ＝４６ｍｍであり、目標点表示部分２１が占める領域と実質的に一致している。）の境界に沿って、縦方向に関してマーク２３の両側に対称に配置された第１のコの字状マーク２６Ａと第２のコの字状マーク２６Ｃとを有している。目盛表示部分２２が内側に画定する実質的に矩形の領域の平面寸法ａ，ｂは、この例では、目標点９１上に配置される測定／処理部材としての血圧計本体８１（図２（Ｃ）参照）の接触面の平面寸法と略同じに設定されている。
【００６２】
なお、図２（Ｃ）中に示すように、この例では、血圧計８０は、血圧計本体８１とこの血圧計本体８１を足に装着するためのベルト８２とを備えている。血圧計８０の接触面には、血圧測定のためのセンサ部８３が設けられている。血圧計本体８１のベルト８２が接続されていない両側面には、センサ部８３の位置に対応するマーク８４が設けられている（図２（Ｃ）中では手前側の側面の位置合わせマーク８４のみを示す。）。
【００６３】
図１（Ｄ）に示すように、基本シート２０は、目盛表示部分２２の離型シート１０側の面２２ｂに粘着材層２２ｘを有している。一方、目標点表示部分２１では、粘着材層が省略されている。図１（Ａ）中には、基本シート２０のうち粘着材層２２ｘを有する領域が点描で描かれている。基本シート２０の目盛表示部分２２の粘着材層２２ｘの粘着力よりも、上記カバーシート３０の粘着材層３０ｘは小さく設定されている。具体的には、基本シート２０の粘着材層２２ｘの粘着力は、対ステンレス板、引張り速度３００ｍｍ／ｍｉｎ、剥離角度１８０°という条件下で、５Ｎ／２５ｍｍ以上に設定されている。カバーシート３０の粘着材層３０ｘの粘着力は、対ステンレス板、引張り速度３００ｍｍ／ｍｉｎ、剥離角度１８０°という条件下で、１．５Ｎ／２５ｍｍ以下に設定されている。
【００６４】
目標点表示部分２１は、目盛表示部分２２に対して破断可能に連結されている。この例では、図１（Ａ）中に示すように、目標点表示部分２１と目盛表示部分２２との間に、ミシン目４０が形成されている。このミシン目４０に沿って、目標点表示部分２１は、目盛表示部分２２に対して破断され得る。
【００６５】
この基本シート２０は、例えば透明な基材の裏面側に粘着材層２２ｘを塗布する一方、基材の表面側に第１目盛２４，２５およびマーク２３，２６Ａ，２６Ｃを印刷し、打ち抜き加工することによって製造される。カバーシート３０は、透明な基材の裏面側に粘着材層３０ｘを塗布し、打ち抜き加工することによって製造される。そして、位置決めシート１は、離型シート１０の表面１０ａ上に、基本シート２０とカバーシート３０とを、それぞれの粘着材層２２ｘ，３０ｘが設けられた面を離型シート１０側へ向けて順次貼り付けることによって製造される。
【００６６】
ユーザが動脈の目標点９１上に測定／処理部材としての血圧計本体８１を装着して測定を行う場合、この位置決めシート１は、図３に示すフローに従って次のようにして使用される。
【００６７】
ｉ）  まず、ユーザは、図１（Ａ）に示すカバーシート３０の縁を指で摘まんで引っ張ることによって、カバーシート３０とともに基本シート２０を離型シート１０から剥がす（図３のステップＳ１）。このとき、カバーシート３０の全域に粘着材層３０ｘが設けられているので、カバーシート３０とともに基本シート２０を容易に剥がすことができる。また、基本シート２０はカバーシート３０によって支持されているので、目標点表示部分２１が目盛表示部分２２に対して破断するのを防止できる。したがって、カバーシート３０とともに基本シート２０を支障なく剥がすことができる。
【００６８】
ii）  続いて、図２（Ａ）に示すように、ユーザは、基本シート２０の目標点表示部分２１のマーク２３（より詳しくは、横線２３Ｘと縦線２３Ｙとの交点。以下同様。）が目標点（この例では、足の甲の或る動脈上の点）９１上に合うように、カバーシート３０とともに基本シート２０を対象領域９０に貼り付ける（図３のステップＳ２）。このとき、カバーシート３０は透明で、かつ基本シート２０の目標点表示部分２１は透明な基材にマーク２３を有するものであるから、ユーザは、透明なカバーシート３０と基本シート２０の透明な基材を通して目標点９１を見ながら、マーク２３を目標点９１上に容易に合わせることができる。また、カバーシート３０と基本シート２０は、それぞれの粘着材層３０ｘ，２２ｘの粘着力によって、対象領域９０に容易に貼り付けられる。また、基本シート２０はカバーシート３０によって支持されているので、カバーシート３０によって支持されていない場合に比して、撓み難い。したがって、カバーシート３０や基本シート２０の粘着材層３０ｘ，２２ｘが設けられた面３０ｂ，２２ｂ同士が互いにくっつくような事態を招くことなく、カバーシート３０とともに基本シート２０は、対象領域９０に首尾良く広がった状態で貼り付けられる。これにより、マーク２３に対応する目盛表示部分２２の第１目盛２４，２５は、目標点９１に対応した状態になる。
【００６９】
iii）  続いて、図２（Ｂ）に示すように、ユーザは、測定または処理の開始前に、カバーシート３０の縁を指で摘まんで引っ張ることによって、カバーシート３０を対象領域９０から剥がす（図３のステップＳ３）。このとき、基本シート２０の目標点表示部分２１では粘着材層が省略されているので、カバーシート３０の粘着材層３０ｘの粘着力のせいで、基本シート２０の目標点表示部分２１はカバーシート３０に連れて剥がれようとする。一方、カバーシート３０の粘着材層３０ｘの粘着力は基本シート２０の粘着材層の粘着力よりも小さいので、基本シート２０の目盛表示部分２２は、カバーシート３０に連れて剥がれるよりも、むしろ対象領域９０に残ろうとする。これらの傾向を利用しつつ、ユーザは、基本シート２０の目標点表示部分２１を目盛表示部分２２に対して破断しながら、カバーシート３０とともに基本シート２０の目標点表示部分２１を対象領域９０から剥がす一方、目盛表示部分２２を対象領域９０に残す。これにより、基本シート２０の目盛表示部分２２のみを対象領域９０に容易に残すことができる。
【００７０】
iv）  この後、図２（Ｃ）に示すように、ユーザは、目盛表示部分２２の第１目盛２４，２５を基準として、目標点９１上に血圧計本体８１を装着する（図３のステップＳ４）。具体的には、血圧計本体８１に設けられたマーク８４を目盛２４に合わせる。また、血圧計本体８１の接触面のコーナを目盛２５に合わせる。このとき、目盛表示部分２２には、この目盛表示部分２２が内側に画定する実質的に矩形の領域の境界に沿って第１のコの字状マーク２６Ａと第２のコの字状マーク２６Ｃとが設けられているので、ユーザは、血圧計本体８１の装着すべき位置を容易に知ることができる。また、目盛表示部分２２が内側に画定する実質的に矩形の領域の平面寸法ａ，ｂは血圧計本体８１の接触面の平面寸法と略同じに設定されているので、第１目盛２４，２５が血圧計本体８１によって覆われて隠れてしまうのを防止できる。
【００７１】
ｖ）  その状態で、ユーザは、血圧の測定を行い（図３のステップＳ５）、測定終了後、目標点９１上から血圧計本体８１を取り外すとともに、目盛表示部分２２を対象領域９０から剥がす（図３のステップＳ６）。このとき、目盛表示部分２２の矩形の枠をなす形状は一体になっているので、目盛表示部分２２を対象領域９０から一動作で剥がすことができる。
【００７２】
このようにして測定を行う場合、目盛表示部分２２の第１目盛２４，２５は目標点９１に対応した状態を維持しているので、ユーザは、その第１目盛２４，２５を基準とすることによって、横方向（図２（Ｃ）では、足を取り巻く方向）に関して、目標点９１上に血圧計本体８１が正しく合っているか否かを明確に認識できる。したがって、目標点９１に対する血圧計本体８１の位置ばらつきを防止できる。また、測定中に目標点９１に対する血圧計本体８１の位置がずれたとしても、ユーザが位置ずれを容易に認識して修正できる。したがって、正確な測定を行うことができる。
【００７３】
また、プラスチックシート２０，３０をなす１枚の基本シート２０内の互いに異なる領域に目標点表示部分２１と目盛表示部分２２とが設けられているので、マーク２３と第１目盛２４，２５（およびコの字状マーク２６Ａ，２６Ｃ）とを同時に印刷して形成することができる。カバーシート３０には印刷を要しない。したがって、プラスチックシート２０，３０を全体として容易に製造することができる。
【００７４】
なお、上の例では、図１（Ａ）中に示したように、目盛表示部分２２の、縦方向（Ｙ方向）に関してマーク２３の両側に相当する辺２２Ａ，２２Ｃのみに、それぞれマーク２３に対応する第１目盛２４，２５を設けた。その理由は、図２（Ｃ）に示すような態様で用いる場合、足の動脈は縦方向に通っているので、横方向（Ｘ方向）に関して位置ばらつき（位置ずれ）を防止する必要性が高い一方、縦方向に関しては多少の位置ばらつきは容認されるからである。ただし、用途によっては、横方向だけでなく、縦方向に関しても、位置ばらつきを防止すべき場合がある。そのような場合、図４の変形例（符号１′で表す）に示すように、目盛表示部分２２の横方向に関してマーク２３の両側に相当する辺２２Ｂ，２２Ｄに、それぞれマーク２３に対応する第２目盛２８を設けてもよい。この例では、縦方向に関して辺２２Ｂ，２２Ｄの中央に配置された第２目盛２８が、マーク２３の横線２３Ｘの端部に対応している。これにより、横方向だけでなく、縦方向に関しても、位置ばらつきを有効に防止できる。なお、辺２２Ｂ，２２Ｄにおいて、目盛２８の上下に一定のピッチの目盛を配置してもよい。
【００７５】
（第２実施形態）
図５（Ａ），（Ｂ），（Ｃ），（Ｄ）は、図１の位置決めシート１の基本シート２０の形状を変形した第２実施形態の位置決めシート（全体を符号１０１で表す。）を、図１（Ａ），（Ｂ），（Ｃ），（Ｄ）に対応して示している。なお、離型シート１０とカバーシート３０については、図１中のものと同じであるため、重複する説明を省略する。
【００７６】
この位置決めシート１０１では、図５（Ａ）によって分かるように、基本シート２０は、目盛表示部分２２として、目標点表示部分２１を取り囲むように、縦方向（Ｙ方向）に関してマーク２３の両側に対称に配置された第１のコの字状部分２２Ｈと第２のコの字状部分２２Ｇとを備えている。第１のコの字状部分２２Ｈ、第２のコの字状部分２２Ｇのそれぞれ左上、左下のコーナ部には、−Ｘ方向に突出してタブ２９Ａ，２９Ｃが設けられている。
【００７７】
第１のコの字状部分２２Ｈの両側の辺２２Ｈ−２，２２Ｈ−３の先端と第２のコの字状部分２２Ｇとの両側の辺２２Ｇ−２，２２Ｇ−３の先端との間に、縦方向に関して予め定められた寸法の隙間ｄが設けられている。この隙間ｄの寸法（縦方向寸法）は、この例では、図２（Ｃ）中に示したベルト８２の幅程度に設定されている。その隙間ｄに目標点表示部分２１が延在して、目標点表示部分２１の横方向の縁部２１Ｅ，２１Ｆを形成している。その結果、目標点表示部分２１の横方向（Ｘ方向）寸法は、第１のコの字状部分２２Ｈ、第２のコの字状部分２２Ｇ（タブ２９Ａ，２９Ｃを除く部分）の横方向寸法と一致している。
【００７８】
この例では、図５（Ａ）中に示すように、目標点表示部分２１と第１のコの字状部分２２Ｈ、第２のコの字状部分２２Ｇとの間に、それぞれミシン目４０Ａ，４０Ｂが形成されている。このミシン目４０Ａ，４０Ｂに沿って、目標点表示部分２１は、第１のコの字状部分２２Ｈ、第２のコの字状部分２２Ｇに対して破断され得る。
【００７９】
この例では、目標点表示部分２１は、図１の例と同様に、透明な基材に目標点９１（図２（Ａ）参照）上に合わせられるべき十字のマーク２３を設けて形成されている。
【００８０】
図５（Ａ）中に示す第１のコの字状部分２２Ｈ、第２のコの字状部分２２Ｇのそれぞれ中央の辺２２Ｈ−１，２２Ｇ−１には、図１の例と同様に、それぞれマーク２３に対応する第１目盛２４，２５が設けられている。さらに、第１のコの字状部分２２Ｈ、第２のコの字状部分２２Ｇには、これらの第１のコの字状部分２２Ｈ、第２のコの字状部分２２Ｇが内側に画定する実質的に矩形の領域（この例では、縦方向寸法ｂ＝３３．２ｍｍ、横方向寸法ａ＝４６ｍｍの領域）の境界に沿って、図１の例と同様に、第１のコの字状マーク２６Ａ、第２のコの字状マーク２６Ｃが設けられている。さらに、この例では、第１のコの字状部分２２Ｈの両端の辺に、それぞれ第２目盛２７Ａが、上下に一定のピッチで設けられている。同様に、第２のコの字状部分２２Ｇの両端の辺に、それぞれ第２目盛２７Ｃが、上下に一定のピッチで設けられている。
【００８１】
図５（Ａ）中には、基本シート２０のうち粘着材層２２ｘを有する領域が点描で描かれている。分かるように、第１のコの字状部分２２Ｈ、第２のコの字状部分２２Ｇには、タブ２９Ａ，２９Ｃを除いて、粘着材層２２ｘが設けられている。図１の例と同様に、この粘着材層２２ｘの粘着力よりも、上記カバーシート３０の粘着材層３０ｘは小さく設定されている。
【００８２】
ユーザが動脈の目標点９１上に測定／処理部材としての血圧計本体８１を装着して測定を行う場合、この位置決めシート１０１は、図１の位置決めシート１と同様に、図３に示すフローに従って使用される。
【００８３】
ｉ）  まず、ユーザは、図５（Ａ）に示すカバーシート３０とともに基本シート２０を離型シート１０から剥がす（図３のステップＳ１）。
【００８４】
ii）  続いて、図２（Ａ）に示したのと同様に、ユーザは、基本シート２０の目標点表示部分２１のマーク２３が目標点（この例では、足の甲の或る動脈上の点）９１上に合うように、カバーシート３０とともに基本シート２０を対象領域９０に貼り付ける（図３のステップＳ２）。
【００８５】
iii）  続いて、図２（Ｂ）に示したのと同様に、ユーザは、測定または処理の開始前にカバーシート３０を対象領域９０から剥がす（図３のステップＳ３）。ここで、ユーザは、基本シート２０の目標点表示部分２１を第１のコの字状部分２２Ｈ、第２のコの字状部分２２Ｇに対して破断しながら、カバーシート３０とともに基本シート２０の目標点表示部分２１を対象領域９０から剥がす一方、第１のコの字状部分２２Ｈ、第２のコの字状部分２２Ｇを対象領域９０に残す。このとき、ユーザは、カバーシート３０とともに基本シート２０の目標点表示部分２１のうち隙間ｄに延在している左の縁部２１Ｅを指で摘まんで＋Ｘ方向に引っ張ることによって、または、右の縁部２１Ｆを指で摘まんで−Ｘ方向に引っ張ることによって、目標点表示部分２１を第１のコの字状部分２２Ｈ、第２のコの字状部分２２Ｇに対して破断しながら容易に剥がすことができる。これにより、基本シート２０の第１のコの字状部分２２Ｈ、第２のコの字状部分２２Ｇのみを対象領域９０に容易に残すことができる。
【００８６】
iv）  この後、図２（Ｃ）に示したのと同様に、ユーザは、第１のコの字状部分２２Ｈ、第２のコの字状部分２２Ｇの第１目盛２４，２５および第２目盛２７Ａ，２７Ｃを基準として、目標点９１上に血圧計本体８１を装着する（図３のステップＳ４）。具体的には、血圧計本体８１に設けられたマーク８４を目盛２４に合わせる。また、血圧計本体８１の接触面のコーナを目盛２５，２７Ａ，２７Ｃに合わせる。このとき、第１のコの字状部分２２Ｈ、第２のコの字状部分２２Ｇには、この目盛表示部分２２が内側に画定する実質的に矩形の領域の境界に沿って第１のコの字状マーク２６Ａと第２のコの字状マーク２６Ｃとが設けられているので、ユーザは、血圧計本体８１の装着すべき位置を容易に知ることができる。また、第１のコの字状部分２２Ｈ、第２のコの字状部分２２Ｇが内側に画定する実質的に矩形の領域の平面寸法ａ，ｂは血圧計本体８１の接触面の平面寸法と略同じに設定されているので、目盛２４，２５，２７Ａ，２７Ｃが血圧計本体８１によって覆われて隠れてしまうのを防止できる。
【００８７】
ｖ）  その状態で、ユーザは、血圧の測定を行い（図３のステップＳ５）、測定終了後、目標点９１上にから血圧計本体８１を取り外すとともに、タブ２９Ａ，２９Ｃを指で摘まんで、第１のコの字状部分２２Ｈ、第２のコの字状部分２２Ｇを対象領域９０から剥がす（図３のステップＳ６）。ここで、タブ２９Ａ，２９Ｃは、粘着材層が省略されているので、ユーザが容易に指で摘まむことができる。
【００８８】
このようにして測定を行う場合、第１のコの字状部分２２Ｈ、第２のコの字状部分２２Ｇの第１目盛２４，２５は目標点９１に対応した状態を維持しているので、ユーザは、その第１目盛２４，２５を基準とすることによって、横方向（図２（Ｃ）では、足を取り巻く方向）に関して、目標点９１上に血圧計本体８１が正しく合っているか否かを明確に認識できる。また、第２目盛２７Ａ，２７Ｃによって、縦方向に関しても、ユーザは、目標点９１上に血圧計本体８１が正しく合っているか否かを明確に認識できる。したがって、この位置決めシート１０１によれば、横方向と縦方向との２方向に関して、目標点９１に対する血圧計本体８１の位置ばらつきを防止したり、ユーザによる位置ずれ修正を容易にすることが可能になる。
【００８９】
また、第１のコの字状部分２２Ｈと第２のコの字状部分２２Ｇとの間の隙間ｄの寸法（縦方向寸法）は、図２（Ｃ）中に示したベルト８２の幅程度に設定されている。したがって、対象領域９０に血圧計本体８１が装着された状態であっても、ユーザは、ベルト８２に邪魔されずに、第１のコの字状部分２２Ｈと第２のコの字状部分２２Ｇとを対象領域９０から剥がして取り去ることができる。この点は、対象領域９０に目盛表示部分２２が長時間貼り付けられたままになっているのを被測定者が嫌うときに、有益である。
【００９０】
また、プラスチックシート２０，３０をなす１枚の基本シート２０内の互いに異なる領域に目標点表示部分２１と第１のコの字状部分２２Ｈ、第２のコの字状部分２２Ｇとが設けられているので、マーク２３と第１目盛２４，２５、第２目盛２７Ａ，２７Ｃ（およびコの字状マーク２６Ａ，２６Ｃ）とを同時に印刷して形成することができる。カバーシート３０には印刷を要しない。したがって、プラスチックシート２０，３０を全体として容易に製造することができる。
【００９１】
（第３実施形態）
図６（Ａ），（Ｂ），（Ｃ），（Ｄ）は、この考案の第３実施形態の位置決めシート（全体を符号２０１で表す。）を、図１（Ａ），（Ｂ），（Ｃ），（Ｄ）に対応して示している。
【００９２】
図６（Ｂ），（Ｃ）によって分かるように、この位置決めシート２０１は、離型シート１０上に配置されたプラスチックシートとしての１枚の目盛シート２０′および１枚のマークシート３０′を備えている。
【００９３】
離型シート１０は、その表面１０ａに離型剤の層（図示せず）を有する紙（またはプラスチック）のシートである。図６（Ａ）によって分かるように、離型シート１０は、矩形の形状を有している。離型シート１０の平面寸法は、この例では横（Ｘ方向）６０ｍｍ、縦（Ｙ方向）７７ｍｍに設定されている。
【００９４】
マークシート３０′は、ＸＹ平面において離型シート１０の形状と全く同じ形状を有する透明な基材に、目標点９１（図２（Ａ）参照）上に合わせられるべきマーク２３を設けて形成されている。マークシート３０′の基材は、一定の厚さ（例えば５０μｍ〜１５０μｍ）を有し、その材質は、例えばポリウレタン、ポリオレフィン、ポリエチレン、ポリプロピレン、またはポリ塩化ビニルとされ得る。図６（Ａ）の例では、マーク２３は、離型シート１０の中央に相当する位置に配置され、この目盛シート２０′の中央を通る横線２３Ｘと縦線２３Ｙとからなる十字の形状を有している。
【００９５】
マークシート３０′は、図６（Ｄ）に示すように、離型シート１０側の面３０ｂの全域に粘着材層３０ｘを有している。このマークシート３０′は、目盛シート２０′を覆うように重なって配置されている。なお、図６（Ｂ），（Ｃ），（Ｄ）では、理解の容易のために、マークシート３０′の周縁が離型シート１０から離間しているように描かれているが、実際には離型シート１０の表面１０ａに接触している。
【００９６】
目盛シート２０′は、図６（Ａ）によって分かるように、四隅に円弧状のアール（ｒ）が施された、略矩形の枠の形状を有している。詳しくは、この目盛シート２０′は、縦方向に関してマーク２３の両側に相当する辺２２Ａ，２２Ｃと、横方向に関してマーク２３の両側に相当する辺２２Ｂ，２２Ｄとを有している。目盛シート２０′の枠の外側の平面寸法は、この例では横（Ｘ方向）４５ｍｍ、縦（Ｙ方向）６２ｍｍに設定されている。つまり、目盛シート２０′の平面寸法よりもマークシート３０′の平面寸法が大きく設定されている。
【００９７】
目盛シート２０′は、一定の厚さ（例えば５０μｍ〜１５０μｍ）の透明な基材を有し、その基材の材質は、例えばポリウレタン、ポリオレフィン、ポリエチレン、ポリプロピレン、またはポリ塩化ビニルとされ得る。
【００９８】
目盛シート２０′の内側には、目標点９１を取り囲むべき切り欠き２０Ｗが設けられている。この例では、この切り欠き２０Ｗの縁がなすマーク２３の両側に相当する辺２２Ａ，２２Ｃが目盛表示部分を構成している。すなわち、これらの辺２２Ａ，２２Ｃには、それぞれマーク２３に対応する第１目盛２４，２５が形成されている。詳しくは、横方向に関して辺２２Ａ，２２Ｃの中央に配置された目盛２４が、マーク２３の縦線２３Ｙの端部に対応している。辺２２Ａ，２２Ｃにおいて、横方向に関して目盛２４の両側に、それぞれ３つの目盛２５が一定のピッチｃ（この例ではｃ＝５ｍｍ）で配置されている。また、マークシート３０′のうち目盛シート２０′の切り欠き２０Ｗに対応する部分が、マーク２３を有する目標点表示部分２１を構成している。
【００９９】
また、目盛シート２０′は、この目盛シート２０′が内側に画定する実質的に矩形の領域（この例では、縦方向寸法ｂ＝３３．２ｍｍ、横方向寸法ａ＝４６ｍｍであり、切り欠き２０Ｗが占める領域と一致している。）の境界に沿って、縦方向に関してマーク２３の両側に対称に配置された第１のコの字状マーク２６Ａと第２のコの字状マーク２６Ｃとを有している。目盛シート２０′が内側に画定する実質的に矩形の領域の平面寸法ａ，ｂは、この例では、目標点９１上に配置される測定／処理部材としての血圧計本体８１（図２（Ｃ）参照）の接触面の平面寸法と略同じに設定されている。
【０１００】
図６（Ｄ）に示すように、目盛シート２０′は、離型シート１０側の面２２ｂに粘着材層２２ｘを有している。図６（Ａ）中には、目盛シート２０′が占める領域（粘着材層２２ｘを有する）に点描が施されている。目盛シート２０′の粘着材層２２ｘの粘着力よりも、上記マークシート３０′の粘着材層３０ｘは小さく設定されている。具体的には、目盛シート２０′の粘着材層２２ｘの粘着力は、対ステンレス板、引張り速度３００ｍｍ／ｍｉｎ、剥離角度１８０°という条件下で、５Ｎ／２５ｍｍ以上に設定されている。マークシート３０′の粘着材層３０ｘの粘着力は、対ステンレス板、引張り速度３００ｍｍ／ｍｉｎ、剥離角度１８０°という条件下で、１．５Ｎ／２５ｍｍ以下に設定されている。
【０１０１】
目盛シート２０′は、例えば透明な基材の裏面側に粘着材層２２ｘを塗布する一方、その基材の表面側に第１目盛２４，２５およびマーク２６Ａ，２６Ｂを印刷し、打ち抜き加工することによって製造される。マークシート３０′は、透明な基材の裏面側に粘着材層３０ｘを塗布する一方、その基材の表面側にマーク２３を印刷し、打ち抜き加工することによって製造される。そして、位置決めシート２０１は、離型シート１０の表面１０ａ上に、目盛シート２０′とマークシート３０′とを、それぞれの粘着材層２２ｘ，３０ｘが設けられた面を離型シート１０側へ向けて順次貼り付けることによって製造される。
【０１０２】
ユーザが動脈の目標点９１上に測定／処理部材としての血圧計本体８１を装着して測定を行う場合、この位置決めシート２０１は、図７に示すフローに従って次のようにして使用される。
【０１０３】
ｉ）  まず、ユーザは、図６（Ａ）に示すマークシート３０′の縁を指で摘まんで引っ張ることによって、マークシート３０′とともに目盛シート２０′を離型シート１０から剥がす（図７のステップＳ１１）。このとき、マークシート３０′の全域に粘着材層３０ｘが設けられているので、マークシート３０′とともに目盛シート２０′を容易に剥がすことができる。
【０１０４】
ii）  続いて、図２（Ａ）に示したのと同様に、ユーザは、マークシート３０′の目標点表示部分のマーク２３が目標点（この例では、足の甲の或る動脈上の点）９１上に合うように、マークシート３０′とともに目盛シート２０′を対象領域９０に貼り付ける（図７のステップＳ１２）。このとき、マークシート３０′は透明な基材にマーク２３を有するものであり、かつ目盛シート２０′は目標点９１を取り囲むべき切り欠き２０Ｗを有するから、ユーザは、マークシート３０′の透明な基材と目盛シート２０′の切り欠き２０Ｗを通して目標点９１を見ながら、マーク２３を目標点９１上に容易に合わせることができる。また、マークシート３０′と目盛シート２０′は、それぞれの粘着材層３０ｘ，２２ｘの粘着力によって、対象領域９０に容易に貼り付けられる。また、目盛シート２０′はマークシート３０′によって支持されているので、マークシート３０′によって支持されていない場合に比して、撓み難い。したがって、マークシート３０′や目盛シート２０′の粘着材層３０ｘ，２２ｘが設けられた面３０ｂ，２２ｂ同士が互いにくっつくような事態を招くことなく、マークシート３０′とともに目盛シート２０′は、対象領域９０に首尾良く広がった状態で貼り付けられる。これにより、マーク２３に対応する目盛シート２０′の第１目盛２４，２５は、目標点９１に対応した状態になる。
【０１０５】
iii）  続いて、図２（Ｂ）に示したのと同様に、ユーザは、測定または処理の開始前に、マークシート３０′の縁を指で摘まんで引っ張ることによって、マークシート３０′を対象領域９０から剥がす一方、目盛シート２０′を対象領域９０に残す。（図７のステップＳ１３）。このとき、マークシート３０′は目盛シート２０′とは別のシートであるから、マークシート３０′を目盛シート２０′に対して破断する必要がない。また、マークシート３０′の粘着材層３０ｘの粘着力は目盛シート２０′の粘着材層の粘着力よりも小さいので、目盛シート２０′は、マークシート３０′に連れて剥がれるよりも、むしろ対象領域９０に残ろうとする。この傾向を利用しつつ、ユーザは、マークシート３０′のみを容易に剥がす一方、目盛シート２０′を対象領域９０に容易に残すことができる。
【０１０６】
iv）  この後、図２（Ｃ）に示すように、ユーザは、目盛シート２０′の第１目盛２４，２５を基準として、目標点９１上に血圧計本体８１を装着する（図７のステップＳ１４）。具体的には、血圧計本体８１に設けられたマーク８４を目盛２４に合わせる。また、血圧計本体８１の接触面のコーナを目盛２５に合わせる。このとき、目盛シート２０′には、この目盛シート２０′が内側に画定する実質的に矩形の領域の境界に沿って第１のコの字状マーク２６Ａと第２のコの字状マーク２６Ｃとが設けられているので、ユーザは、血圧計本体８１の装着すべき位置を容易に知ることができる。また、目盛シート２０′が内側に画定する実質的に矩形の領域の平面寸法ａ，ｂは血圧計本体８１の接触面の平面寸法と略同じに設定されているので、第１目盛２４，２５が血圧計本体８１によって覆われて隠れてしまうのを防止できる。
【０１０７】
ｖ）  その状態で、ユーザは、血圧の測定を行い（図７のステップＳ１５）、測定終了後、目標点９１上にから血圧計本体８１を取り外すとともに、目盛シート２０′を対象領域９０から剥がす（図７のステップＳ１６）。このとき、目盛シート２０′の矩形の枠をなす形状は一体になっているので、目盛シート２０′を対象領域９０から一動作で剥がすことができる。
【０１０８】
このようにして測定を行う場合、目盛表示部分２２の第１目盛２４，２５は目標点９１に対応した状態を維持しているので、ユーザは、その第１目盛２４，２５を基準とすることによって、横方向（図２（Ｃ）では、足を取り巻く方向）に関して、目標点９１上に血圧計本体８１が正しく合っているか否かを明確に認識できる。したがって、目標点９１に対する血圧計本体８１の位置ばらつきを防止できる。また、測定中に目標点９１に対する血圧計本体８１の位置がずれたとしても、ユーザが位置ずれを容易に認識して修正できる。したがって、正確な測定を行うことができる。
【０１０９】
なお、上の例では、図６（Ａ）中に示したように、目盛シート２０′の、縦方向（Ｙ方向）に関してマーク２３の両側に相当する辺２２Ａ，２２Ｃのみに、それぞれマーク２３に対応する第１目盛２４，２５を設けたが、これに限られるものではない。目盛シート２０′の、横方向に関してマーク２３の両側に相当する辺２２Ｂ，２２Ｄに、それぞれマーク２３に対応する第２目盛を設けてもよい。これにより、横方向だけでなく、縦方向に関しても、位置ばらつきを有効に防止できる。
【０１１０】
上述の各位置決めシート１，１′，１０１を構成する基本シート２０、カバーシート３０の形状や寸法、および、位置決めシート２０１を構成する目盛シート２０′、マークシート３０′の形状や寸法は、例示にすぎない。各シートの形状や寸法は、目標点を含む対象領域の形状や寸法に応じて、適宜変更され得る。
【０１１１】
また、上の各例では、足の甲を通る或る動脈上の点を目標点９１としたが、これに限られるものではない。例えば上腕を通る或る動脈上の点を目標点としてもよい。
【０１１２】
また、上の各例では、基本シート２０の目盛表示部分２２（第１のコの字状部分２２Ｈ、第２のコの字状部分２２Ｇに分かれている場合を含む。）や目盛シート２０′が内側に画定する実質的に矩形の領域の平面寸法ａ，ｂは、血圧計本体８１の接触面の平面寸法と略同じであるものとした。しかしながら、これに限られるものではない。前者の平面寸法ａ，ｂが血圧計本体８１の接触面の平面寸法より大きくてもよい。その場合でも、第１目盛２４，２５（および第２目盛２７Ａ，２７Ｃ）を基準として、目標点９１上に血圧計本体８１を正しく装着することができる。
【０１１３】
また、上の各例では、各位置決めシート１，１′，１０１，２０１が血圧測定のための位置決めに使用される場合について述べたが、これに限られるものではない。この考案の位置決めシートは、他の種類の測定や、例えば穴開け加工などの処理のための位置決めに用いることもできる。
【０１１４】
このように、この考案の位置決めシートは、目標点上に測定／処理部材を配置して測定または処理を行う用途に適する。
【符号の説明】
【０１１５】
１，１′，１０１，２０１  位置決めシート
１０  離型シート
２０  基本シート
２０′  目盛シート
３０  カバーシート
３０′  マークシート
【図１】
0003187714.tif 000003
【図２】
0003187714.tif 000004
【図３】
0003187714.tif 000005
【図４】
0003187714.tif 000006
【図５】
0003187714.tif 000007
【図６】
0003187714.tif 000008
【図７】
0003187714.tif 000009